(57)【要約】【課題】地絡をより精度良く検出することが可能な点灯装置およびそれを用いた照明装置を提供する。【解決手段】点灯装置１００は、直流電源部３と、インバータ部４と、イグナイタ部５と、電圧検出部６と、電流検出部７と、制御部８とを備えている。制御部８は、電圧検出部６により検出された電圧の電圧値と、電流検出部７により検出された電流の電流値とに基づいて、放電灯２００に供給される交流電力の第１半周期における電力値（第１電力値）と、上記交流電力の第２半周期における電力値（第２電力値）とを求める。また、制御部８は、第１電力値と第２電力値との差分が閾値以上である状態が所定期間に亘って発生したとき、地絡が発生したと判定する。【選択図】図１
2016162600.tif 000002
【特許請求の範囲】
【請求項１】
放電灯を点灯させる点灯装置であって、
直流電圧を出力する直流電源部と、前記直流電圧を交流電圧に変換して前記交流電圧を前記放電灯に印加するインバータ部と、高電圧パルスを発生して前記放電灯を始動させるイグナイタ部と、前記放電灯に印加された前記交流電圧に対応する電圧を検出する電圧検出部と、前記放電灯に流れる交流電流に対応する電流を検出する電流検出部と、前記直流電源部および前記インバータ部を各別に制御する制御部とを備え、
前記制御部は、前記電圧検出部により検出された電圧の電圧値と、前記電流検出部により検出された電流の電流値とに基づいて、前記放電灯に供給される交流電力の第１半周期における電力値である第１電力値と、前記放電灯に供給される交流電力の第２半周期における電力値である第２電力値とを求め、前記第１電力値と前記第２電力値との差分が閾値以上である状態が所定期間に亘って発生したとき、地絡が発生したと判定する
ことを特徴とする点灯装置。
【請求項２】
前記制御部は、前記電圧検出部により検出された電圧の電圧値と前記電流検出部により検出された電流の電流値とに基づいて前記差分を算出する算出部と、地絡が発生したか否かを判定する判定部とを備え、
前記判定部は、前記算出部により算出された前記差分が前記閾値以上である状態が、前記所定期間に亘って発生したとき、地絡が発生したと判定する
ことを特徴とする請求項１記載の点灯装置。
【請求項３】
前記判定部は、複数の前記閾値を備え、
前記判定部は、前記イグナイタ部により前記放電灯を始動させた時間が経過するに従って、前記複数の前記閾値のうち１つの前記閾値を選択するように構成され、
前記複数の前記閾値の各々は、前記イグナイタ部により前記放電灯を始動させた時間が経過するに従って、小さくなるように設定されている
ことを特徴とする請求項２記載の点灯装置。
【請求項４】
前記判定部は、複数の前記閾値を備え、
前記判定部は、前記放電灯を消灯させた時間が経過するに従って、前記複数の前記閾値のうち１つの前記閾値を選択するように構成され、
前記複数の前記閾値の各々は、前記放電灯を消灯させた時間が短くなるに従って、小さくなるように設定されている
ことを特徴とする請求項２記載の点灯装置。
【請求項５】
前記判定部は、前記イグナイタ部により前記放電灯を始動させた時点から所定時間が経過するまでの前記所定期間である第１所定期間を、前記所定時間が経過した後の前記所定期間である第２所定期間よりも短くするように構成されている
ことを特徴とする請求項２ないし請求項４のいずれか１項に記載の点灯装置。
【請求項６】
前記制御部は、前記電圧検出部により検出された電圧の電圧値と前記電流検出部により検出された電流の電流値とに基づいて前記差分を算出する算出部と、地絡が発生したか否かを判定する判定部とを備え、
前記算出部は、前記差分と、前記差分が前記閾値以上である状態の期間との積を算出するように構成され、
前記判定部は、前記算出部により算出された前記積が規定値以上であるとき、地絡が発生したと判定する
ことを特徴とする請求項１記載の点灯装置。
【請求項７】
前記判定部は、複数の前記規定値を備え、
前記判定部は、前記イグナイタ部により前記放電灯を始動させた時間が経過するに従って、前記複数の前記規定値のうち１つの前記規定値を選択するように構成され、
前記複数の前記規定値の各々は、前記イグナイタ部により前記放電灯を始動させた時間が経過するに従って、小さくなるように設定されている
ことを特徴とする請求項６記載の点灯装置。
【請求項８】
前記判定部は、複数の前記規定値を備え、
前記判定部は、前記放電灯を消灯させた時間が経過するに従って、前記複数の前記規定値のうち１つの前記規定値を選択するように構成され、
前記複数の前記規定値の各々は、前記放電灯を消灯させた時間が短くなるに従って、小さくなるように設定されている
ことを特徴とする請求項６記載の点灯装置。
【請求項９】
前記制御部は、前記判定部により地絡が発生したと判定されたとき、前記放電灯に供給される交流電力を低減もしくは停止するように、前記直流電源部および前記インバータ部を制御する
ことを特徴とする請求項１ないし請求項８のいずれか１項に記載の点灯装置。
【請求項１０】
前記制御部は、前記差分が前記閾値以上である状態が前記所定期間に亘って発生する前に、前記差分が前記閾値未満となったとき、前記差分が前記閾値未満である状態の期間が短くなるに従って、前記所定期間を短くするように構成されている
ことを特徴とする請求項１ないし請求項９のいずれか１項に記載の点灯装置。
【請求項１１】
請求項１ないし請求項１０のいずれか１項に記載の点灯装置と、前記点灯装置により点灯可能な前記放電灯とを備えている
ことを特徴とする照明装置。
【発明の詳細な説明】
【技術分野】
【０００１】
本発明は、一般に、点灯装置およびそれを用いた照明装置に関し、より詳細には、放電灯を点灯させる点灯装置およびそれを用いた照明装置に関する。
【背景技術】
【０００２】
従来、放電灯を点灯させる放電灯点灯装置が知られている（例えば、特許文献１）。
【０００３】
特許文献１に記載された放電灯点灯装置は、一方の極性の電圧検出値と他方の極性の電圧検出値との間に閾値以上の差が発生する状態が、所定期間に亘って発生した場合、異常が発生したと判断する。これにより、放電灯点灯装置では、地絡時の地絡抵抗が高い場合であっても、この地絡を検出することができる。
【先行技術文献】
【特許文献】
【０００４】
【特許文献１】特開２０１３−２５１１８７号公報
【発明の概要】
【発明が解決しようとする課題】
【０００５】
特許文献１に記載された放電灯点灯装置等の点灯装置は、地絡をより精度良く検出することが望まれている。
【０００６】
本発明の目的は、地絡をより精度良く検出することが可能な点灯装置およびそれを用いた照明装置を提供することにある。
【課題を解決するための手段】
【０００７】
本発明の点灯装置は、放電灯を点灯させる点灯装置である。前記点灯装置は、直流電圧を出力する直流電源部と、前記直流電圧を交流電圧に変換して前記交流電圧を前記放電灯に印加するインバータ部と、高電圧パルスを発生して前記放電灯を始動させるイグナイタ部とを備えている。また、前記点灯装置は、前記放電灯に印加される交流電圧に対応する電圧を検出する電圧検出部と、前記放電灯に流れる交流電流に対応する電流を検出する電流検出部と、前記直流電源部および前記インバータ部を各別に制御する制御部とを備えている。前記制御部は、前記電圧検出部により検出された電圧の電圧値と、前記電流検出部により検出された電流の電流値とに基づいて、前記放電灯に供給される交流電力の第１半周期における電力値である第１電力値と、前記放電灯に供給される交流電力の第２半周期における電力値である第２電力値とを求める。また、前記制御部は、前記第１電力値と前記第２電力値との差分が閾値以上である状態が所定期間に亘って発生したとき、地絡が発生したと判定する。
【０００８】
本発明の照明装置は、前記点灯装置と、前記点灯装置により点灯可能な放電灯とを備えている。
【発明の効果】
【０００９】
本発明の点灯装置においては、地絡をより精度良く検出することが可能となる。
【００１０】
本発明の照明装置においては、地絡をより精度良く検出することが可能な点灯装置を備えた照明装置を提供することができる。
【図面の簡単な説明】
【００１１】
【図１】図１は、実施形態１の点灯装置の回路図である。
【図２】図２Ａ〜図２Ｄは、実施形態１の点灯装置に関し、図２Ａは、放電灯に印加された交流電圧の波形を示す波形図、図２Ｂは、放電灯に流れる交流電流の波形を示す波形図、図２Ｃは、放電灯に供給される交流電力の波形を示す波形図、図２Ｄは、点灯装置に流れる地絡電流の波形を示す波形図である。
【図３】図３は、実施形態１の点灯装置における制御部の動作を示すフローチャートである。
【図４】図４Ａは、実施形態１の点灯装置を備えた照明装置を示す概略構成図、図４Ｂは、この照明装置が搭載された車両を示す斜視図である。
【図５】図５は、実施形態１の点灯装置に関し、放電灯に供給される交流電力の変化を示すグラフである。
【図６】図６は、実施形態２の点灯装置の回路図である。
【図７】図７は、実施形態２の点灯装置における制御部の動作を示すフローチャートである。
【発明を実施するための形態】
【００１２】
（実施形態１）
以下では、実施形態１の点灯装置１００について、図１〜図３を参照しながら説明する。なお、以下では、説明の便宜上、点灯装置１００を備えた照明装置５００について、図４Ａおよび図４Ｂを参照しながら説明した後に、点灯装置１００について詳細に説明する。
【００１３】
照明装置５００は、例えば、自動車等の車両６００に取り付けられるように構成されている。照明装置５００は、例えば、前照灯である。
【００１４】
照明装置５００は、例えば、点灯装置１００と、放電灯２００と、ソケット２１０と、反射板２２０と、ケース２３０と、カバー２４０とを備えている。
【００１５】
放電灯２００は、例えば、ＨＩＤ（High Intensity Discharge）ランプである。放電灯２００は、一対の電極Ｘ１，Ｘ２を備えている（図１参照）。以下では、説明の便宜上、電極Ｘ１を「第１電極Ｘ１」と称し、電極Ｘ２を「第２電極Ｘ２」と称することもある。
【００１６】
ソケット２１０は、放電灯２００を保持するように構成されている。
【００１７】
反射板２２０は、放電灯２００から放射された光をカバー２４０へ反射するように構成されている。
【００１８】
ケース２３０は、放電灯２００、ソケット２１０および反射板２２０を収納するように構成されている。ケース２３０は、一面が開口した箱状（例えば、矩形箱状）に形成されている。
【００１９】
カバー２４０は、ケース２３０の上記一面を覆い、かつ、ケース２３０に取り付けられるように構成されている。カバー２４０は、透光性の材料により形成されている。
【００２０】
点灯装置１００は、放電灯２００を点灯させるように構成されている。なお、点灯装置１００は、放電灯２００を構成要素として含まない。
【００２１】
また、点灯装置１００は、スイッチ３００を介して、直流電源４００と電気的に接続されるように構成されている。スイッチ３００は、直流電源４００から点灯装置１００への給電をオンオフするように構成されている。直流電源４００は、直流電圧を出力するように構成されている。直流電源４００は、例えば、バッテリである。なお、点灯装置１００は、スイッチ３００および直流電源４００を構成要素として含まない。
【００２２】
点灯装置１００は、図１に示すように、一対の入力端１Ａ，１Ｂと、一対の出力端２Ａ，２Ｂと、直流電源部３と、インバータ部４と、イグナイタ部５と、電圧検出部６と、電流検出部７と、制御部８とを備えている。
【００２３】
一対の入力端１Ａ，１Ｂ間には、スイッチ３００と直流電源４００との直列回路が電気的に接続される。入力端１Ａは、例えば、スイッチ３００を介して、直流電源４００の正極側の端子と電気的に接続される。入力端１Ｂは、例えば、直流電源４００の負極側の端子と電気的に接続される。
【００２４】
一対の出力端２Ａ，２Ｂ間には、放電灯２００が電気的に接続される。出力端２Ａは、放電灯２００の第２電極Ｘ２と電気的に接続される。出力端２Ｂは、放電灯２００の第１電極Ｘ１と電気的に接続される。
【００２５】
直流電源部３は、直流電源４００から出力された直流電圧を所定の直流電圧に変換するように構成されている。また、直流電源部３は、上記所定の直流電圧を出力するように構成されている。
【００２６】
直流電源部３は、例えば、スイッチング素子Ｑ１と、トランスＴ１と、ダイオードＤ１と、コンデンサＣ１とを備えている。
【００２７】
スイッチング素子Ｑ１は、第１端子と、第２端子と、制御端子とを備えている。スイッチング素子Ｑ１は、例えば、エンハンスメント型のｎチャネルＭＯＳＦＥＴである。この場合、スイッチング素子Ｑ１では、第１端子がドレイン端子であり、第２端子がソース端子であり、制御端子がゲート端子である。なお、スイッチング素子Ｑ１は、ｎチャネルＭＯＳＦＥＴに限らず、例えば、バイポーラトランジスタ等であってもよい。
【００２８】
トランスＴ１の１次巻線の第１端は、入力端１Ａと電気的に接続されている。トランスＴ１の１次巻線の第２端は、スイッチング素子Ｑ１のドレイン端子と電気的に接続されている。スイッチング素子Ｑ１のソース端子は、入力端１Ｂと電気的に接続されている。スイッチング素子Ｑ１のゲート端子は、制御部８と電気的に接続されている。
【００２９】
トランスＴ１の２次巻線の第１端は、ダイオードＤ１のアノードと電気的に接続されている。ダイオードＤ１のカソードは、コンデンサＣ１の第１端（コンデンサＣ１の高電位側の接続端）と電気的に接続されている。コンデンサＣ１の第２端（コンデンサＣ１の低電位側の接続端）は、トランスＴ１の２次巻線の第２端と電気的に接続されている。トランスＴ１の２次巻線の第２端は、スイッチング素子Ｑ１のソース端子と電気的に接続されている。
【００３０】
コンデンサＣ１には、電圧検出部６が並列に接続されている。
【００３１】
インバータ部４は、直流電源部３から出力された所定の直流電圧を交流電圧に変換するように構成されている。また、インバータ部４は、この交流電圧を放電灯２００に印加するように構成されている。インバータ部４は、例えば、フルブリッジ回路である。インバータ部４は、４つのスイッチング素子Ｑ２〜Ｑ５を備えている。
【００３２】
スイッチング素子Ｑ２は、第１端子と、第２端子と、制御端子とを備えている。スイッチング素子Ｑ２は、例えば、デプレッション型のｎチャネルＭＯＳＦＥＴである。この場合、スイッチング素子Ｑ２では、第１端子がドレイン端子であり、第２端子がソース端子であり、制御端子がゲート端子である。
【００３３】
３つのスイッチング素子Ｑ３〜Ｑ５の各々は、図１に示すように、スイッチング素子Ｑ２と符号が異なる点を除いて、スイッチング素子Ｑ２と同じ構成である。ゆえに、３つのスイッチング素子Ｑ３〜Ｑ５の各々に関する詳細な説明は省略する。
【００３４】
スイッチング素子Ｑ２のドレイン端子は、コンデンサＣ１の第１端と電気的に接続されている。スイッチング素子Ｑ２のゲート端子は、制御部８と電気的に接続されている。スイッチング素子Ｑ２のソース端子は、スイッチング素子Ｑ４のドレイン端子と電気的に接続されている。また、スイッチング素子Ｑ２のソース端子は、イグナイタ部５と電気的に接続されている。スイッチング素子Ｑ４のゲート端子は、制御部８と電気的に接続されている。スイッチング素子Ｑ４のソース端子は、電流検出部７を介して、コンデンサＣ１の第２端と電気的に接続されている。
【００３５】
スイッチング素子Ｑ３およびスイッチング素子Ｑ５は、図１に示すように、スイッチング素子Ｑ２およびスイッチング素子Ｑ４と同じ結線である。ゆえに、スイッチング素子Ｑ３およびスイッチング素子Ｑ５の各々に関する詳細な説明は省略する。
【００３６】
イグナイタ部５は、高電圧パルスを発生して放電灯２００を始動させるように構成されている。イグナイタ部５は、例えば、コンデンサＣ２と、トランスＴ２と、放電ギャップ９とを備えている。
【００３７】
コンデンサＣ２の第１端は、スイッチング素子Ｑ２のソース端子と電気的に接続されている。また、コンデンサＣ２の第１端は、スイッチング素子Ｑ４のドレイン端子と電気的に接続されている。コンデンサＣ２の第２端は、スイッチング素子Ｑ３のソース端子と電気的に接続されている。また、コンデンサＣ２の第２端は、スイッチング素子Ｑ５のドレイン端子と電気的に接続されている。
【００３８】
トランスＴ２の１次巻線の第１端は、コンデンサＣ２の第１端と電気的に接続されている。また、トランスＴ２の１次巻線の第１端は、トランスＴ２の２次巻線を介して、出力端２Ａと電気的に接続されている。
【００３９】
トランスＴ２の１次巻線の第２端は、放電ギャップ９を介して、コンデンサＣ２の第２端と電気的に接続されている。また、トランスＴ２の１次巻線の第２端は、放電ギャップ９を介して、出力端２Ｂと電気的に接続されている。
【００４０】
電圧検出部６は、放電灯２００に印加される交流電圧Ｖａ（図１，図２Ａ参照）に対応する電圧を検出するように構成されている。電圧検出部６は、２つの抵抗Ｒ１，Ｒ２を備えている。
【００４１】
抵抗Ｒ１の第１端は、コンデンサＣ１の第１端と電気的に接続されている。抵抗Ｒ１の第２端は、抵抗Ｒ２の第１端と電気的に接続されている。また、抵抗Ｒ１の第２端は、制御部８と電気的に接続されている。抵抗Ｒ２の第２端は、コンデンサＣ１の第２端と電気的に接続されている。なお、放電灯２００に印加される交流電圧Ｖａに対応する電圧は、コンデンサＣ１の両端電圧に相当する。言い換えれば、放電灯２００に印加される交流電圧Ｖａに対応する電圧は、直流電源部３により変換された上記所定の直流電圧に相当する。
【００４２】
電流検出部７は、放電灯２００に流れる交流電流Ｉａ（図１，図２Ｂ参照）に対応する電流を検出するように構成されている。電流検出部７は、抵抗Ｒ３を備えている。
【００４３】
抵抗Ｒ３の第１端は、抵抗Ｒ２の第２端と電気的に接続されている。抵抗Ｒ３の第２端は、スイッチング素子Ｑ４のソース端子と電気的に接続されている。また、抵抗Ｒ３の第２端は、スイッチング素子Ｑ５のソース端子と電気的に接続されている。さらに、抵抗Ｒ３の第２端は、制御部８と電気的に接続されている。なお、放電灯２００に流れる交流電流Ｉａに対応する電流は、抵抗Ｒ３に流れる電流に相当する。
【００４４】
制御部８は、例えば、マイクロコンピュータである。上記マイクロコンピュータは、プログラムが記憶されたメモリを備えている。このプログラムには、例えば、点灯装置１００を動作させる動作モード等が記述されている。なお、上記マイクロコンピュータとは、マイクロプロセッサやマイクロコントローラを意味する。
【００４５】
制御部８は、例えば、駆動部８１と、算出部８２と、判定部８３と、計時部８４とを備えている。駆動部８１は、上記マイクロコンピュータに設けられたＣＰＵおよびＤ／Ａ変換器により構成されている。算出部８２および判定部８３の各々は、上記ＣＰＵおよび上記プログラムにより構成されている。計時部８４は、上記マイクロコンピュータに設けられたカウンタにより構成されている。なお、計時部８４は、カウンタにより構成されているが、これに限らず、上記マイクロコンピュータに設けられた内蔵タイマにより構成されていてもよい。また、駆動部８１、算出部８２、判定部８３および計時部８４の詳細については、後述する。
【００４６】
制御部８は、直流電源部３を制御するように構成されている。言い換えれば、制御部８は、スイッチング素子Ｑ１のオンオフを制御するように構成されている。具体的に説明すると、駆動部８１は、スイッチング素子Ｑ１をオンオフするように構成されている。
【００４７】
直流電源部３では、駆動部８１によりスイッチング素子Ｑ１がオン状態になったとき、入力端１Ａ、トランスＴ１の１次巻線、スイッチング素子Ｑ１、入力端１Ｂの経路で電流が流れる。これにより、直流電源部３では、トランスＴ１の１次巻線に磁気エネルギーが蓄積される。
【００４８】
また、直流電源部３では、駆動部８１によりスイッチング素子Ｑ１がオン状態からオフ状態になったとき、トランスＴ１の１次巻線に蓄積された磁気エネルギーがトランスＴ１の２次巻線に伝達され、この２次巻線の両端間に電圧（誘起電圧）が発生する。そして、直流電源部３では、トランスＴ１の２次巻線の両端間に誘起電圧が発生すると、この２次巻線、ダイオードＤ１、コンデンサＣ１の経路で電流が流れる。これにより、直流電源部３では、コンデンサＣ１が充電される。また、直流電源部３は、コンデンサＣ１の両端電圧が第１所定電圧以上になったとき、上記所定の直流電圧を出力する。
【００４９】
また、制御部８は、インバータ部４を制御するように構成されている。言い換えれば、制御部８は、２つのスイッチング素子Ｑ２，Ｑ５と、２つのスイッチング素子Ｑ３，Ｑ４とが交互にオン状態となるように、４つのスイッチング素子Ｑ２〜Ｑ５を各別に制御する。具体的に説明すると、駆動部８１は、２つのスイッチング素子Ｑ２，Ｑ５と、２つのスイッチング素子Ｑ３，Ｑ４とが交互にオン状態となるように、４つのスイッチング素子Ｑ２〜Ｑ５を各別にオンオフするように構成されている。これにより、インバータ部４では、直流電源部３から出力された上記所定の直流電圧を、矩形波状の交流電圧に変換することが可能となる。なお、点灯装置１００では、駆動部８１が、５つのスイッチング素子Ｑ１〜Ｑ５を各別にオンオフするように構成されている。
【００５０】
また、制御部８は、直流電源４００から出力された直流電圧を検出するように構成されている。具体的に説明すると、制御部８は、入力端１Ａと電気的に接続されている。より詳細に説明すると、上記マイクロコンピュータに設けられたＡ／Ｄ変換器は、入力端１Ａと電気的に接続されている。これにより、制御部８は、スイッチ３００のオン状態とオフ状態とを検出することが可能になる。
【００５１】
点灯装置１００では、スイッチ３００がオフ状態からオン状態になったとき、放電灯２００の一対の電極Ｘ１，Ｘ２間が開放されているため、直流電源部３におけるコンデンサＣ１の両端電圧が上昇する。そのため、制御部８は、スイッチ３００がオフ状態からオン状態になったとき、２つのスイッチング素子Ｑ２，Ｑ５がオン状態で、かつ、２つのスイッチング素子Ｑ３，Ｑ４がオフ状態となるように、４つのスイッチング素子Ｑ２〜Ｑ５を各別に制御する。これにより、点灯装置１００では、イグナイタ部５におけるコンデンサＣ２の両端電圧も上昇する。
【００５２】
点灯装置１００では、コンデンサＣ２の両端電圧が第２所定電圧以上になったとき、放電ギャップ９により高電圧が発生するので、イグナイタ部５で高圧パルスが発生する。これにより、点灯装置１００では、放電灯２００を始動させることが可能となる。放電灯２００を始動させるとは、放電灯２００が点灯し始めるように放電灯２００に交流電力Ｗａ（図２Ｃ参照）を供給することを意味する。
【００５３】
制御部８は、放電灯２００が始動すると、２つのスイッチング素子Ｑ２，Ｑ５と、２つのスイッチング素子Ｑ３，Ｑ４とが交互にオン状態となるように、４つのスイッチング素子Ｑ２〜Ｑ５を各別に制御する。
【００５４】
ところで、制御部８は、電圧検出部６により検出された電圧の電圧値と、電流検出部７により検出された電流の電流値とに基づいて、放電灯２００に供給される交流電力Ｗａの第１半周期Ｔａ（図２Ｃ参照）における電力値を求めるように構成されている。また、制御部８は、電圧検出部６により検出された電圧の電圧値と、電流検出部７により検出された電流の電流値とに基づいて、放電灯２００に供給される交流電力Ｗａの第２半周期Ｔｂ（図２Ｃ参照）における電力値を求めるように構成されている。なお、以下では、説明の便宜上、放電灯２００に供給される交流電力Ｗａの第１半周期Ｔａにおける電力値を、「第１電力値」と称する。また、以下では、説明の便宜上、放電灯２００に供給される交流電力Ｗａの第２半周期Ｔｂにおける電力値を、「第２電力値」と称する。
【００５５】
制御部８は、第１電力値と第２電力値との差分が閾値以上である状態が、所定期間（例えば、１０秒間）に亘って発生したとき、地絡が発生したと判定するように構成されている。
【００５６】
算出部８２は、電圧検出部６により検出された電圧の電圧値と、電流検出部７により検出された電流の電流値とに基づいて、第１電力値を算出するように構成されている。また、算出部８２は、電圧検出部６により検出された電圧の電圧値と、電流検出部７により検出された電流の電流値とに基づいて、第２電力値を算出するように構成されている。さらに、算出部８２は、第１電力値と第２電力値との差分を算出するように構成されている。
【００５７】
判定部８３は、算出部８２により算出された上記差分が閾値以上であるか否かを判定するように構成されている。
【００５８】
計時部８４は、算出部８２により算出された上記差分が閾値以上である状態の累積値（異常期間）をカウントアップするように構成されている。
【００５９】
判定部８３は、地絡が発生したか否かを判定するように構成されている。具体的に説明すると、判定部８３は、計時部８４によりカウントアップされた異常期間が所定期間以上であるか否かを判定するように構成されている。
【００６０】
以下、制御部８（特に、算出部８２、判定部８３および計時部８４）の動作について、図３に基づいて説明する。
【００６１】
算出部８２は、スイッチ３００がオフ状態からオン状態になったとき（図３中のＳ１）、第１電力値および第２電力値を算出する（図３中のＳ２）。また、算出部８２は、第１電力値と第２電力値との差分を算出する（図３中のＳ３）。
【００６２】
判定部８３は、算出部８２により算出された上記差分が閾値以上であるか否かを判定する（図３中のＳ４）。
【００６３】
計時部８４は、判定部８３により上記差分が閾値以上であると判定されたとき、異常期間をカウントアップする（図３中のＳ５）。
【００６４】
判定部８３は、計時部８４によりカウントアップされた異常期間が所定期間以上であるか否かを判定する（図３中のＳ６）。
【００６５】
判定部８３は、異常期間が所定期間以上であるとき、地絡が発生したと判定する。
【００６６】
制御部８は、判定部８３により地絡が発生したと判定されたとき、放電灯２００に供給された交流電力Ｗａを低減するように、直流電源部３およびインバータ部４を制御する（図３中のＳ７）。
【００６７】
算出部８２は、判定部８３により異常期間が所定期間未満であると判定されたとき、再び、第１電力値および第２電力値を算出する（図３中のＳ２）。
【００６８】
制御部８は、判定部８３により上記差分が閾値未満であると判定されたとき、計時部８４によりカウントアップされた異常期間）を消去（リセット）する（図３中のＳ８）。
【００６９】
また、算出部８２は、計時部８４によりカウントアップされた異常期間が消去された後、再び、第１電力値および第２電力値を算出する（図３中のＳ２）。
【００７０】
点灯装置１００では、算出部８２および判定部８３の動作を、制御部８として用いたマイクロコンピュータに搭載されたプログラムによって実現しているが、これに限らない。
【００７１】
なお、制御部８は、判定部８３により地絡が発生したと判定されたとき、放電灯２００に供給された交流電力Ｗａを低減するように、直流電源部３およびインバータ部４を制御しているが、これに限らない。制御部８は、判定部８３により地絡が発生したと判定されたとき、放電灯２００への交流電力Ｗａの供給を停止するように、直流電源部３およびインバータ部４を制御してもよい。
【００７２】
点灯装置１００では、例えば、放電灯２００の第１電極Ｘ１（図１参照）と点灯装置１００のグランドとの間に抵抗成分（以下、「地絡抵抗」）Ｒｓが生じると、地絡が発生する。また、点灯装置１００では、地絡が発生すると、図１中に示す太い矢印の経路で、電流（以下、「地絡電流」）Ｉｓが流れる。その結果、点灯装置１００では、放電灯２００に印加される交流電圧Ｖａ、放電灯２００に流れる交流電流Ｉａ、放電灯２００に供給される交流電力Ｗａの各々が、低減する。
【００７３】
点灯装置１００では、地絡が発生したとき、放電灯２００に印加される交流電圧Ｖａ、放電灯２００に流れる交流電流Ｉａ、放電灯２００に供給される交流電力Ｗａの各々の波形が、一方の極性（正極性）と他方の極性（負極性）とで非対称な波形となる。すなわち、点灯装置１００では、地絡が発生すると、放電灯２００に供給される交流電力Ｗａの第１半周期Ｔａにおける電力値（第１電力値）と、放電灯２００に供給される交流電力Ｗａの第２半周期Ｔｂにおける電力値（第２電力値）とに差分が生じる。なお、図２Ａ〜図２Ｄ中のｔ１は、地絡が発生した時点を表している。
【００７４】
点灯装置１００では、制御部８が、電圧検出部６により検出された電圧の電圧値と、電流検出部７により検出された電流の電流値とに基づいて、第１電力値と第２電力値とを求めている。また、点灯装置１００では、制御部８が、第１電力値と第２電力値との差分が閾値以上である状態が所定期間に亘って発生したとき、地絡が発生したと判定する。これにより、点灯装置１００では、特許文献１に記載された放電灯点灯装置に比べて、地絡をより精度良く検出することが可能となる。
【００７５】
点灯装置１００では、放電灯２００を始動させるとき、例えば、車両６００における前方の視認性を早期に確保するために、放電灯２００の点灯電力Ｗｂ（図５参照）よりも高い交流電力を放電灯２００に供給する。また、点灯装置１００では、図５に示すように、放電灯２００を始動させる期間Ｔｃが経過すると、放電灯２００に供給する交流電力を徐々に低減し、放電灯２００に点灯電力Ｗｂを供給する。図５中のＴｄは、放電灯２００に供給された交流電力が徐々に低減されている期間を表している。図５中のＴｅは、放電灯２００に点灯電力Ｗｂが供給されている期間を表している。図５中のｔ２は、放電灯２００を始動させた時点を表している。図５中のｔ３は、放電灯２００に供給する交流電力を徐々に低減し始めた時点を表している。図５中のｔ４は、放電灯２００に点灯電力Ｗｂを供給し始めた時点を表している。なお、放電灯２００の点灯電力Ｗｂとは、放電灯２００を安定して点灯させることができる交流電力を意味する。また、以下では、説明の便宜上、放電灯２００を始動させる期間Ｔｃを「始動期間Ｔｃ」と称し、放電灯２００に供給された交流電力が徐々に低減されている期間Ｔｄを「変更期間Ｔｄ」と称する。また、以下では、説明の便宜上、放電灯２００に点灯電力Ｗｂが供給されている期間Ｔｅを、「点灯期間Ｔｅ」と称する。
【００７６】
点灯装置１００では、放電灯２００を始動させた時点から放電灯２００に点灯電力Ｗｂを供給し始めた時点までの間（図５中の始動期間Ｔｃおよび変更期間Ｔｄ）、放電灯２００の点灯状態が安定していない。その結果、点灯装置１００では、地絡が発生していないときであっても、第１電力値と第２電力値との差分が大きくなる可能性があり、判定部８３により地絡が発生したと判定される虞がある。
【００７７】
判定部８３は、複数の閾値を備えていることが好ましい。判定部８３は、イグナイタ部５により放電灯２００を始動させた時間が経過するに従って、複数の閾値のうち１つの閾値を選択するように構成されていることが好ましい。複数の閾値の各々は、イグナイタ部５により放電灯２００を始動させた時間が経過するに従って、小さくなるように設定されていることが好ましい。
【００７８】
判定部８３は、例えば、２つの閾値（第１閾値および第２閾値）を備えている。第２閾値は、第１閾値よりも小さく設定されている。
【００７９】
判定部８３は、例えば、イグナイタ部５により放電灯２００を始動させた時点から所定時間（図５中のｔ４の時点）が経過するまでの間、第１閾値を選択する。また、判定部８３は、例えば、上記所定時間が経過した後に、第２閾値を選択する。
【００８０】
言い換えれば、判定部８３は、始動期間Ｔｃおよび始動期間Ｔｄのとき、第１閾値を選択する。また、判定部８３は、点灯期間Ｔｅのとき、第２閾値を選択する。これにより、点灯装置１００では、例えば、始動期間Ｔｃおよび始動期間Ｔｄのとき、判定部８３により地絡が発生したと誤って判定されることを抑制することが可能となる。よって、点灯装置１００では、地絡をより一層精度良く検出することが可能となる。
【００８１】
なお、判定部８３は、２つの閾値を備えているが、これに限らず、例えば、３つ以上の閾値を備えていてもよい。
【００８２】
点灯装置１００では、放電灯２００を始動させたとき、放電灯２００の温度が低い場合がある。その結果、点灯装置１００では、地絡が発生していないときであっても、第１電力値と第２電力値との差分が大きくなる可能性があり、判定部８３により地絡が発生したと判定される虞がある。なお、放電灯２００の温度が低い場合とは、放電灯２００が、この放電灯２００の温度が冷えて一定の温度となる初始動時（コールドスタート時）の状態であった場合を意味する。
【００８３】
判定部８３は、複数の閾値を備えていることが好ましい。判定部８３は、放電灯２００を消灯させた時間が経過するに従って、複数の閾値のうち１つの閾値を選択するように構成されていることが好ましい。複数の閾値の各々は、放電灯２００を消灯させた時間が短くなるに従って、小さくなるように設定されていることが好ましい。
【００８４】
判定部８３は、例えば、２つの閾値（第３閾値および第４閾値）を備えている。第４閾値は、第３閾値よりも小さく設定されている。
【００８５】
判定部８３は、放電灯２００を消灯させた時間が比較的長いときに、第３閾値を選択する。また、判定部８３は、放電灯２００を消灯させた時間が比較的短いときに、第４閾値を選択する。これにより、点灯装置１００では、放電灯２００の温度が低いとき、判定部８３により地絡が発生したと誤って判定されることを抑制することが可能となる。よって、点灯装置１００では、地絡をより一層精度良く検出することが可能となる。放電灯２００を消灯させた時間が比較的長いときとは、放電灯２００が、この放電灯２００の温度が冷えて一定の温度となる初始動時（コールドスタート時）の状態であったときを意味する。また、放電灯２００を消灯させた時間が比較的短いときとは、例えば、放電灯２００を消灯させた後、直ちに、放電灯２００を再点灯（再始動）させたときを意味する。
【００８６】
なお、判定部８３は、２つの閾値を備えているが、これに限らず、例えば、３つ以上の閾値を備えていてもよい。
【００８７】
点灯装置１００では、例えば、放電灯２００を始動させたとき（図５中のｔ２の時点）に地絡が発生した場合、放電灯２００の点灯電力Ｗｂよりも高い交流電力が放電灯２００に供給されているので、地絡電流Ｉｓが大きくなる虞がある。また、点灯装置１００では、この地絡電流Ｉｓが流れた状態で、放電灯２００を点灯させた場合、点灯装置１００が故障する可能性がある。
【００８８】
判定部８３は、イグナイタ部５により放電灯２００を始動させた時点から上記所定時間が経過するまでの所定期間（第１所定期間）を、上記所定時間が経過した後の所定期間（第２所定期間）よりも短くするように構成されていることが好ましい。具体的に説明すると、判定部８３は、始動期間Ｔｃおよび変更期間Ｔｄにおける所定期間（第１所定期間）を、点灯期間Ｔｅにおける所定期間（第２所定期間）よりも短くするように構成されていることが好ましい。これにより、点灯装置１００では、例えば、放電灯２００を始動させたときに地絡が発生した場合、判定部８３によって、地絡が発生したことを比較的早く判定することが可能となる。よって、点灯装置１００では、この点灯装置１００が故障するのを抑制することが可能となる。
【００８９】
点灯装置１００では、地絡電流Ｉｓが流れている場合において、例えば、車両６００の振動等に起因して地絡抵抗Ｒｓが発生しなくなったとき、上記差分が閾値未満になる可能性がある。また、点灯装置１００では、上記差分が閾値未満になった後に、地絡抵抗Ｒｓが再び発生したとき、地絡電流Ｉｓが再び流れるので、この点灯装置１００を構成する複数の電子部品等に過度なストレスが蓄積される可能性がある。その結果、点灯装置１００では、この点灯装置１００の寿命が短くなる虞がある。
【００９０】
制御部８は、上記差分が閾値以上である状態が所定期間に亘って発生する前に、上記差分が閾値未満となったとき、上記差分が閾値未満である状態の期間（以下、「正常期間」）が短くなるに従って、所定期間を短くするように構成されていることが好ましい。具体的に説明すると、制御部８は、上記差分が閾値以上である状態が所定期間に亘って発生する前に、上記差分が閾値未満となったとき、計時部８４により正常期間を計時する。また、制御部８は、計時部８４により計時された正常期間が短くなるに従って、所定期間を短くする。これにより、点灯装置１００では、例えば、車両６００の振動等に起因して、地絡抵抗Ｒｓが発生したり地絡抵抗Ｒｓが発生しなくなったりする場合があっても、上記複数の電子部品等に過度なストレスが蓄積されるのを抑制することが可能となる。よって、点灯装置１００では、この点灯装置１００の寿命が短くなるのを抑制することが可能となる。
【００９１】
なお、制御部８は、電圧検出部６により検出された電圧に基づいて、直流電源部３におけるスイッチング素子Ｑ１のオンオフを制御するように構成されていてもよい。これにより、点灯装置１００では、直流電源部３から出力される上記所定の直流電圧を調整することが可能となる。言い換えれば、点灯装置１００では、放電灯２００に印加される交流電圧Ｖａを調整することが可能となる。その結果、点灯装置１００では、放電灯２００の点灯状態を安定させることが可能となる。
【００９２】
また、制御部８は、電流検出部７により検出された電流に基づいて、直流電源部３におけるスイッチング素子Ｑ１のオンオフを制御するように構成されていてもよい。これにより、点灯装置１００では、直流電源部３から出力される上記所定の直流電圧を調整することが可能となる。言い換えれば、点灯装置１００では、放電灯２００に流れる交流電流Ｉａを調整することが可能となる。その結果、点灯装置１００では、放電灯２００の点灯状態を安定させることが可能となる。
【００９３】
以上説明した点灯装置１００は、放電灯２００を点灯させる点灯装置である。点灯装置１００は、直流電圧を出力する直流電源部３と、上記直流電圧を交流電圧Ｖａに変換して交流電圧Ｖａを放電灯２００に印加するインバータ部４と、高電圧パルスを発生して放電灯２００を始動させるイグナイタ部５とを備えている。また、点灯装置１００は、放電灯２００に印加された交流電圧Ｖａに対応する電圧を検出する電圧検出部６と、放電灯２００に流れる交流電流Ｉａに対応する電流を検出する電流検出部７と、直流電源部３およびインバータ部４を各別に制御する制御部８とを備えている。制御部８は、電圧検出部６により検出された電圧の電圧値と、電流検出部７により検出された電流の電流値とに基づいて、放電灯２００に供給される交流電力Ｗａの第１半周期Ｔａにおける電力値である第１電力値と、放電灯２００に供給される交流電力Ｗａの第２半周期Ｔｂにおける電力値である第２電力値とを求める。また、制御部８は、第１電力値と第２電力値との差分が閾値以上である状態が所定期間に亘って発生したとき、地絡が発生したと判定する。これにより、点灯装置１００では、特許文献１に記載された放電灯点灯装置に比べて、地絡をより精度良く検出することが可能となる。
【００９４】
制御部８は、上述のように、電圧検出部６により検出された電圧の電圧値と電流検出部７により検出された電流の電流値とに基づいて上記差分を算出する算出部８２と、地絡が発生したか否かを判定する判定部８３とを備えていることが好ましい。判定部８３は、算出部８２により算出された上記差分が閾値以上である状態が所定期間に亘って発生したとき、地絡が発生したと判定することが好ましい。これにより、点灯装置１００でも、特許文献１に記載された放電灯点灯装置に比べて、地絡をより精度良く検出することが可能となる。
【００９５】
判定部８３は、複数の閾値を備えていることが好ましい。判定部８３は、イグナイタ部５により放電灯２００を始動させた時間が経過するに従って、複数の閾値のうち１つの閾値を選択するように構成されていることが好ましい。複数の閾値の各々は、イグナイタ部５により放電灯２００を始動させた時間が経過するに従って、小さくなるように設定されていることが好ましい。これにより、点灯装置１００では、例えば、始動期間Ｔｃおよび変更期間Ｔｄのとき、判定部８３により地絡が発生したと誤って判定されることを抑制することが可能となる。よって、点灯装置１００では、地絡をより一層精度良く検出することが可能となる。
【００９６】
判定部８３は、複数の閾値を備えていることが好ましい。判定部８３は、放電灯２００を消灯させた時間が経過するに従って、複数の閾値のうち１つの閾値を選択するように構成されていることが好ましい。複数の閾値の各々は、放電灯２００を消灯させた時間が短くなるに従って、小さくなるように設定されていることが好ましい。これにより、点灯装置１００では、例えば、放電灯２００の温度が低いとき、判定部８３により地絡が発生したと誤って判定されることを抑制することが可能となる。よって、点灯装置１００では、地絡をより一層精度良く検出することが可能となる。
【００９７】
判定部８３は、イグナイタ部５により放電灯２００を始動させた時点から所定時間が経過するまでの所定期間である第１所定期間を、上記所定時間が経過した後の所定期間である第２所定期間よりも短くするように構成されていることが好ましい。これにより、点灯装置１００では、例えば、放電灯２００を始動させたときに地絡が発生した場合、判定部８３によって、地絡が発生したことを比較的早く判定することが可能となる。よって、点灯装置１００では、この点灯装置１００が故障するのを抑制することが可能となる。
【００９８】
制御部８は、判定部８３により地絡が発生したと判定されたとき、放電灯２００に供給される交流電力Ｗａを低減する、もしくは、放電灯２００への交流電力Ｗａの供給を停止するように、直流電源部３およびインバータ部４を制御することが好ましい。これにより、点灯装置１００では、この点灯装置１００を構成する複数の電子部品等に過度なストレスが蓄積されるのを抑制することが可能となる。よって、点灯装置１００では、この点灯装置１００の寿命が短くなるのを抑制することが可能となる。
【００９９】
制御部８は、上記差分が閾値以上である状態が所定期間に亘って発生する前に、上記差分が閾値未満となったとき、上記差分が閾値未満である状態の期間（正常期間）が短くなるに従って、所定期間を短くするように構成されていることが好ましい。これにより、点灯装置１００では、例えば、車両６００の振動等に起因して、地絡抵抗Ｒｓが発生したり地絡抵抗Ｒｓが発生しなくなったりする場合、この点灯装置１００を構成する複数の電子部品等に過度なストレスが蓄積されるのを抑制することが可能となる。よって、点灯装置１００では、この点灯装置１００の寿命が短くなるのを抑制することが可能となる。
【０１００】
以上説明した照明装置５００は、点灯装置１００と、点灯装置１００により点灯可能な放電灯２００とを備えている。これにより、照明装置５００では、地絡をより精度良く検出することが可能な点灯装置１００を備えた照明装置５００を提供することができる。
【０１０１】
（実施形態２）
実施形態２の点灯装置１１０の基本構成は、図６に示すように、実施形態１の点灯装置１００と同じである。また、点灯装置１１０では、制御部８が、点灯装置１００の算出部８２、判定部８３および計時部８４とは異なる構成の算出部８５、判定部８６および計時部８７を備えている点等が、点灯装置１００と相違する。なお、実施形態２の点灯装置１１０では、実施形態１の点灯装置１００と同様の構成要素に同一の符号を付して説明を適宜省略する。また、点灯装置１１０は、例えば、実施形態１の照明装置５００に適用されてもよい。
【０１０２】
算出部８５は、算出部８２と同様に構成されている。また、算出部８５は、上記差分と、上記差分が上記閾値以上である状態の期間（上記異常期間）との積を算出するように構成されている。
【０１０３】
判定部８６は、判定部８３と同様に構成されている。また、判定部８６は、算出部８５により算出された上記積が規定値以上であるか否かを判定するように構成されている。
【０１０４】
計時部８７は、計時部８４と同様に構成されている。また、計時部８７は、算出部８５により算出された上記差分が閾値以上である状態の累積値（上記異常期間）をカウントアップするように構成されている。
【０１０５】
以下、制御部８（特に、算出部８５、判定部８６および計時部８７）の動作について、図７に基づいて説明する。
【０１０６】
算出部８５は、スイッチ３００がオフ状態からオン状態になったとき（図７中のＳ９）、第１電力値および第２電力値を算出する（図７中のＳ１０）。また、算出部８５は、第１電力値と第２電力値との差分を算出する（図７中のＳ１１）。
【０１０７】
判定部８６は、算出部８５により算出された上記差分が閾値以上であるか否かを判定する（図７中のＳ１２）。
【０１０８】
計時部８７は、判定部８６により上記差分が閾値以上であると判定されたとき、上記異常期間をカウントアップする（図７中のＳ１３）。
【０１０９】
算出部８５は、上記差分と上記異常期間との積を算出する（図７中のＳ１４）。
【０１１０】
判定部８６は、算出部８５により算出された上記積が規定値以上であるか否かを判定する（図７中のＳ１５）。また、判定部８６は、算出部８５により算出された上記積が規定値以上であるとき、地絡が発生したと判定する。
【０１１１】
制御部８は、判定部８６により地絡が発生したと判定されたとき、放電灯２００に供給された交流電力Ｗａを低減するように、直流電源部３およびインバータ部４を制御する（図７中のＳ１６）。
【０１１２】
算出部８５は、判定部８６により上記積が規定値未満であると判定されたとき、再び、第１電力値および第２電力値を算出する（図７中のＳ１０）。
【０１１３】
制御部８は、判定部８６により上記差分が閾値未満であると判定されたとき、計時部８７によりカウントアップされた上記異常期間を消去（リセット）する（図７中のＳ１７）。
【０１１４】
また、算出部８５は、計時部８７によりカウントアップされた上記異常期間が消去された後、再び、第１電力値および第２電力値を算出する（図７中のＳ１０）。
【０１１５】
点灯装置１１０では、算出部８５および判定部８６の動作を、制御部８として用いたマイクロコンピュータに搭載されたプログラムによって実現しているが、これに限らない。
【０１１６】
なお、制御部８は、判定部８６により地絡が発生したと判定されたとき、放電灯２００に供給された交流電力Ｗａを低減するように、直流電源部３およびインバータ部４を制御しているが、これに限らない。制御部８は、判定部８６により地絡が発生したと判定されたとき、放電灯２００に供給される交流電力Ｗａを停止するように、直流電源部３およびインバータ部４を制御してもよい。
【０１１７】
点灯装置１１０では、例えば、規定値が２００［Ｗ・ｓ］に設定された場合、上記差分が２０［Ｗ］であれば、異常期間が１０[ｓ]を経過するときに、判定部８６により地絡が発生したと判定することができる。また、点灯装置１１０では、例えば、規定値が２００［Ｗ・ｓ］に設定された場合、上記差分が２５［Ｗ］であれば、異常期間が８［ｓ］を経過するときに、判定部８６により地絡が発生したと判定することができる。一方、実施形態１の点灯装置１００では、例えば、上記差分が２５［Ｗ］であっても、異常期間が１０［ｓ］を経過するまで、判定部８３により地絡が発生したことを判定することができない。
【０１１８】
よって、点灯装置１１０では、実施形態１の点灯装置１００に比べて、判定部８６により地絡が発生したことを早く判定することが可能となる。これにより、点灯装置１１０では、例えば、地絡電流Ｉｓが流れたとき、実施形態１の点灯装置１００に比べて、放電灯２００に供給された交流電力Ｗａを早く低減することが可能となる。その結果、点灯装置１１０では、実施形態１の点灯装置１００に比べて、点灯装置１１０が故障するのを抑制することが可能となる。
【０１１９】
判定部８６は、複数の規定値を備えていることが好ましい。判定部８６は、イグナイタ部５により放電灯２００を始動させた時間が経過するに従って、複数の規定値のうち１つの規定値を選択するように構成されていることが好ましい。複数の規定値の各々は、イグナイタ部５により放電灯２００を始動させた時間が経過するに従って、小さくなるように設定されていることが好ましい。
【０１２０】
判定部８６は、例えば、２つの規定値（第１規定値および第２規定値）を備えている。第２規定値は、第１規定値よりも小さく設定されている。
【０１２１】
判定部８６は、例えば、イグナイタ部５により放電灯２００を始動させた時点から所定時間（図５中のｔ４の時点）が経過するまでの間、第１規定値を選択する。また、判定部８６は、例えば、上記所定時間が経過した後に、第２規定値を選択する。
【０１２２】
言い換えれば、判定部８６は、始動期間Ｔｃおよび始動期間Ｔｄのとき、第１規定値を選択する。また、判定部８６は、点灯期間Ｔｅのとき、第２規定値を選択する。これにより、点灯装置１１０では、例えば、始動期間Ｔｃおよび変更期間Ｔｄのとき、判定部８６により地絡が発生したと誤って判定されることを抑制することが可能となる。よって、点灯装置１１０では、地絡をより一層精度良く検出することが可能となる。
【０１２３】
なお、判定部８６は、２つの規定値を備えているが、これに限らず、例えば、３つ以上の規定値を備えていてもよい。
【０１２４】
判定部８６は、複数の規定値を備えていることが好ましい。判定部８６は、放電灯２００を消灯させた時間が経過するに従って、複数の規定値のうち１つの規定値を選択するように構成されていることが好ましい。複数の規定値の各々は、放電灯２００を消灯させた時間が短くなるに従って、小さくなるように設定されていることが好ましい。
【０１２５】
判定部８６は、例えば、２つの規定値（第３規定値および第４規定値）を備えている。第４規定値は、第３規定値よりも小さく設定されている。
【０１２６】
判定部８６は、放電灯２００を消灯させた時間が比較的長いときに、第３規定値を選択する。また、判定部８６は、放電灯２００を消灯させた時間が比較的短いときに、第４規定値を選択する。これにより、点灯装置１１０では、例えば、放電灯２００の温度が低いとき、判定部８６により地絡が発生したと誤って判定されることを抑制することが可能となる。よって、点灯装置１１０では、地絡をより一層精度良く検出することが可能となる。
【０１２７】
なお、判定部８６は、２つの規定値を備えているが、これに限らず、例えば、３つ以上の規定値を備えていてもよい。
【０１２８】
以上説明した点灯装置１１０では、制御部８が、電圧検出部６により検出された電圧の電圧値と電流検出部７により検出された電流の電流値とに基づいて上記差分を算出する算出部８５と、地絡が発生したか否かを判定する判定部８６とを備えている。算出部８５は、上記差分と、上記差分が閾値以上である状態の期間（異常期間）との積を算出するように構成されている。判定部８６は、算出部８５により算出された上記積が規定値以上であるとき、地絡が発生したと判定する。これにより、点灯装置１１０では、実施形態１の点灯装置１００に比べて、判定部８６により地絡が発生したことを早く判定することが可能となる。よって、点灯装置１１０では、例えば、地絡電流Ｉｓが流れたとき、実施形態１の点灯装置１００に比べて、放電灯２００に供給された交流電力Ｗａを早く低減することが可能となる。その結果、点灯装置１１０では、実施形態１の点灯装置１００に比べて、点灯装置１１０を構成する複数の電子部品等に過度なストレスが蓄積されるのを抑制することが可能となる。
【０１２９】
判定部８６は、複数の規定値を備えていることが好ましい。判定部８６は、イグナイタ部５により放電灯２００を始動させた時間が経過するに従って、複数の規定値のうち１つの規定値を選択するように構成されていることが好ましい。複数の規定値の各々は、イグナイタ部５により放電灯２００を始動させた時間が経過するに従って、小さくなるように設定されていることが好ましい。これにより、点灯装置１１０では、例えば、始動期間Ｔｃおよび変更期間Ｔｄのとき、判定部８６により地絡が発生したと誤って判定されることを抑制することが可能となる。よって、点灯装置１１０では、地絡をより一層精度良く検出することが可能となる。
【０１３０】
判定部８６は、複数の規定値を備えていることが好ましい。判定部８６は、放電灯２００を消灯させた時間が経過するに従って、複数の規定値のうち１つの規定値を選択するように構成されていることが好ましい。複数の規定値の各々は、放電灯２００を消灯させた時間が短くなるに従って、小さくなるように設定されていることが好ましい。これにより、点灯装置１１０では、例えば、放電灯２００の温度が低いとき、判定部８６により地絡が発生したと誤って判定されることを抑制することが可能となる。よって、点灯装置１１０では、地絡をより一層精度良く検出することが可能となる。
【０１３１】
制御部８は、判定部８６により地絡が発生したと判定されたとき、放電灯２００に供給される交流電力Ｗａを低減する、もしくは、放電灯２００への交流電力Ｗａの供給を停止するように、直流電源部３およびインバータ部４を制御することが好ましい。これにより、点灯装置１１０では、この点灯装置１１０を構成する複数の電子部品等に過度なストレスが蓄積されるのを抑制することが可能となる。よって、点灯装置１１０では、この点灯装置１１０の寿命が短くなるのを抑制することが可能となる。
【符号の説明】
【０１３２】
３  直流電源部
４  インバータ部
５  イグナイタ部
６  電圧検出部
７  電流検出部
８  制御部
８２  算出部
８３  判定部
８５  算出部
８６  判定部
１００  点灯装置
１１０  点灯装置
２００  放電灯
５００  照明装置
【図１】
2016162600.tif 000003
【図２】
2016162600.tif 000004
【図３】
2016162600.tif 000005
【図４】
2016162600.tif 000006
【図５】
2016162600.tif 000007
【図６】
2016162600.tif 000008
【図７】
2016162600.tif 000009